(57)【要約】      （修正有）【課題】巨大で重量化している広幅の遮水シートの厚みが薄くなっても挟む力が弱くならない構造の遮水シートの引張用治具を提供する。【解決手段】支軸２を介して鋏状に交差する一対の挟持体１ａ、１ｂを設け、挟持体の先端側には、それぞれが相対向する対向板３ａ、３ｂを設け、これらの内面側には、遮水シートＸを挟持する帯状の起立片４ａ、４ｂを、挟持体と直交する方向に、それぞれ所定間隔を保ち複数本設け、且つ、これら起立板は、交互に噛み合うように両対向板に植設し、挟持体のそれぞれ後端側には、ロープＹａ、Ｙｂを装着する穴５ａ、５ｂをそれぞれ設けると共に、挟持体の支軸と、穴との中間部付近には、挟持体にそれぞれ内側に向けてブラケット６ａ、６ｂを設け、これらブラケットにそれぞれ長穴７ａ、７ｂを設け、これら両長穴に緩み留めボルト８を設けた。【選択図】図１
0003228174.tif 000002
【実用新案登録請求の範囲】
【請求項１】
支軸（２）を介して鋏状に交差する一対の挟持体（１ａ）、（１ｂ）を設け、
これら挟持体の先端側には、それぞれが相対向する対向板（３ａ）、（３ｂ）を設
け、
これら対向板（３ａ）、（３ｂ）の内面側には、遮水シート（ＸｏｒＸ´）を挟持する帯状の起立片（４ａ）、（４ｂ）を、挟持体（１ａ）、（１ｂ）と直交する方向に、それぞれ所定間隔を保ち複数本設け、
且つ、これら起立板（４ａ）、（４ｂ）は、交互に噛み合うように両対向板（３ａ）、
（３ｂ）に植設し、
前記挟持体（１ａ）、（１ｂ）のそれぞれ後端側には、ロープ（Ｙａ）、（Ｙｂ）を装着する穴（５ａ）、（５ｂ）をそれぞれ設けると共に、
前記挟持体（１ａ）、（１ｂ）の支軸（２）と、穴（５ａ）、（５ｂ）との中間部付近には、前記挟持体（１ａ）、（１ｂ）にそれぞれ内側に向けてブラケット（６ａ）、（６ｂ）を設け、
これらブラケット（６ａ）、（６ｂ）にそれぞれ長穴（７ａ）、（７ｂ）を設け、
これら両長穴（７ａ）、（７ｂ）に緩み留めボルト（８）を設けた
ことを特徴とする遮水シートの引張用冶具。
【考案の詳細な説明】
【技術分野】
【０００１】
この考案は、遮水シートの引張用冶具に関するものであって、特に、遮水シートでも、巨大で重量化している広幅の遮水シートを引き寄せあるいは引張る際に使用する遮水シートの引張用冶具である。
【背景技術】
【０００２】
従来、遮水シートは、護岸に敷設して降雨や波等による決壊を防止し、或いは廃棄物処分場等の底部に敷設して、石炭灰等廃棄物から流れ出る有害物質が地下に浸透することを防ぐために用いるものである。
【０００３】
そして、遮水シート敷設工事の規模の大きさによっては、当然、縦・横が巨大な遮水シートが必要となり、この大型の遮水シートを敷設する際には、護岸が現場となる場合は、海や川等の水上から移動して敷設しており、そのため、図４に示すように、Ｍ型形状のＭフック（素材は、遮水シートと同一）を遮水シートに融着して取りつけ、Ｍフックの内袋に差し込んだ鋼製かんざしを介してロープを船等の動力を利用して引き寄せあるいは引張って遮水シートを移動させていた。
【０００４】
しかし、上記のＭ型形状のＭフックでは敷設作業中に破断した場合、作業現場で該Ｍフックと遮水シートを融着する作業は、水中では不可能であるという欠点があった。
【０００５】
そして、上記の巨大な遮水シートを用いて敷設作業をする際に、引き寄せあるいは引張る際の負荷に耐え得る引張用の治具が必要となり、その手段として巨大で重量化した遮水シートの複数箇所を挟み込んで一時固定できる遮水シートの引張用治具を開発することを考えた。
【０００６】
また、巨大で重量化している遮水シートを引張れば、シートが伸び、それによりシートの厚みが薄くなるため、挟み込みを固定すれば挟む力が弱くなるが、例えシートの厚みが薄くなっても挟む力が弱くならない構造の引張用冶具を検討することが必要となった。
【考案の概要】
【考案が解決しようとする課題】
【０００７】
そこでこの考案は、巨大で重量化している広幅の遮水シートの厚が薄くなっても挟む力が弱くならない構造の遮水シートの引張用治具を開発・提供するものである。
【課題を解決するための手段】
【０００８】
この考案の遮水シートの引張用冶具は、支軸を介して鋏状に交差する一対の挟持体を設け、これら挟持体の先端側には、それぞれが相対向する対向板を設け、これら対向板の内面側には、遮水シートを挟持する帯状の起立片を、挟持体と直交する方向に、それぞれ所定間隔を保ち複数本設け、且つ、これら起立板は、交互に噛み合うように両対向板に植設し、前記挟持体のそれぞれ後端側には、ロープを装着する穴をそれぞれ設けると共に、前記挟持体の支軸と、穴との中間部付近には、前記挟持体にそれぞれ内側に向けてブラケットを設け、これらブラケットにそれぞれ長穴を設け、これら両長穴に緩み留めボルトを設けたことを特徴とする。
【考案の効果】
【０００９】
この考案によると、支軸（２）を支点とし、作用点は遮水シート（Ｘ）を挟み易いよう対向板（３ａ）、（３ｂ）に起立板（４ａ）、（４ｂ）を交互に配置し、力点である２つの穴（５ａ）、（５ｂ）部分を引っ張れば、作用点である対向板（３ａ）、（３ｂ）の挟む力が発生する。そして、張力が増せば挟む力もより増す構造となっており、引張りを解除すれば、挟む力も解除され、引張用治具が遮水シート（Ｘ）から離れる状態となり、これを防止するため力点に緩み留めボルト（８）を設けており、該緩み留めボルト（８）を締め込むことが可能である。
【００１０】
さらに、この考案の引張用冶具を用い、遮水シート（Ｘ）の端を相対向する複数の起立板（４ａ）、（４ｂ）で挟み、牽引して移動するため、対向板（３ａ）、（３ｂ）に設けた起立板（４ａ）、（４ｂ）の摩擦力により外れることなく、仮に万一外れた箇所を発見しても、水中で再度挟むことが出来る等の極めて有益なる等の効果を有する。
【図面の簡単な説明】
【００１１】
【図１】この考案の一実施例を示し、（Ａ）は、一部を切り欠いた状態の側面図であり、（Ｂ）は、一部を切り欠いた状態の底面図である。
【図２】この考案の一実施例を示す一部を切り欠いた斜視図である。
【図３】この考案に使用する遮水シートを挟んだ状態の一実施例を示す一部を切り欠いた斜視図であり、（Ｂ）は、この考案に使用する遮水シートの一実施例を示す一部を切り欠いた断面図であり、（Ｃ）は、この考案に使用する遮水シートの他の実施例を示す一部を切り欠いた断面図である。
【図４】従来例を示し、（Ａ）は、一部を切り欠いた状態の平面図であり、（Ｂ）は、一部を切り欠いた側面図である。
【考案を実施するための形態】
【００１２】
以下、この考案の好適な実施の形態について説明するが、この考案においては以下の記述に限定されるものではなく、この考案の要旨を逸脱しない範囲においては適宜変更可能である。
【実施例】
【００１３】
そこでこの考案の一実施例を図１、図２、図３に基づいて詳細に説明すると、支軸（２）を介して鋏状に交差する一対の挟持体（１ａ）、（１ｂ）を設け、これら挟持体の先端側には、それぞれが相対向する対向板（３ａ）、（３ｂ）を設け、これら対向板（３ａ）、（３ｂ）の内面側には、遮水シート（Ｘ）を挟持する帯状の起立片（４ａ）、（４ｂ）を、挟持体（１ａ）、（１ｂ）と直交する方向に、それぞれ所定間隔を保ち複数本設け、且つ、これら起立板（４ａ）、（４ｂ）は、交互に噛み合うように両対向板（３ａ）、（３ｂ）に植設し、前記挟持体（１ａ）、（１ｂ）のそれぞれ後端側には、ロープ（Ｙａ）、（Ｙｂ）を装着する穴（５ａ）、（５ｂ）をそれぞれ設けると共に、前記挟持体（１ａ）、（１ｂ）の支軸（２）と、穴（５ａ）、（５ｂ）との中間部付近には、前記挟持体（１ａ）、（１ｂ）にそれぞれ内側に向けてブラケット（６ａ）、（６ｂ）を設け、これらブラケット（６ａ）、（６ｂ）にそれぞれ長穴（７ａ）、（７ｂ）を設け、これら両長穴（７ａ）、（７ｂ）に緩み留めボルト（８）を設けたことを特徴とする遮水シートの引張用冶具から構成される。
【００１４】
なお、前記対向板（３ａ）、（３ｂ）の素材は、鉄板であり、前記起立板（４ａ）、（４ｂ）の素材は、平鋼材であり、交互に、即ち、相対する対向板（３ａ）、（３ｂ）に千鳥状に配置し、遮水シート（Ｘ）を挟み易いように構成されている。
【００１５】
また、前記各起立板（４ａ）、（４ｂ）は、挟み込む遮水シートの素材、構造によって形状、間隔を変更し、相対向する起立板（４ａ）、（４ｂ）が互いに接触しないように余裕を持って設けるよう構成した遮水シートの引張用冶具である。
【００１６】
なお、ロープは、遮水シート（Ｘ）を牽引するメインロープ（Ｙ）と、挟持体（１ａ）、（１ｂ）の端部に設けた穴（５ａ）、（５ｂ）に通して結止したロープ（Ｙａ）、（Ｙｂ）から構成され、これらのロープはメインロープ（Ｙ）を介して牽引手段に結束するものである。
【００１７】
また、前記の遮水シートの素材、構造の一実施例を図３（Ｂ）に基づいて説明すると、超軟質ＰＶＣ樹脂を素材とした遮水シート材（Ｘａ）１枚と、ポリエステル繊維を素材とした保護マット材（Ｘｂ）２枚からなり、該遮水シート材（Ｘａ）の上・下両面をそれぞれ該保護マット材（Ｘｂ）で覆い、３層一体化した遮水シート（Ｘ）である。
【００１８】
さらに、前記の遮水シートの他の実施例を図３（Ｃ）に基づいて説明すると、遮水シート材（Ｘａ）２枚と、保護マット材（Ｘｂ）を３枚用いる。先ず、１枚の遮水シート材（Ｘａ）の上・下両面にそれぞれ保護マット材（Ｘｂ）を２枚用いて覆い、３層一体化した遮水シートを積層し、次に、保護マット材（Ｘｂ）に遮水シート材（Ｘａ）で覆い、さらに該遮水シート材（Ｘａ）を保護マット材（Ｘｂ）で覆い、５層一体化した遮水シート（Ｘ´）に形成したものである。
【００１９】
また、前記Ｍフックの強度は、約１，０００ｋｇ程度であるが、本考案の引張用冶具で遮水シートを引張った実験をした際、張力１，２００ｋｇ以上でも遮水シートから外れなかった。
【産業上の利用可能性】
【００２０】
この考案の遮水シートの引張用冶具の技術を確立し、実施することにより産業上の利用可能性を有する。
【符号の説明】
【００２１】
１ａ，１ｂ    挟持体
２            支軸
３ａ，３ｂ    対向板
４ａ，４ｂ    起立板
５ａ，５ｂ    穴
６ａ，６ｂ    ブラケット
７ａ、７ｂ    長穴
８            緩み留めボルト
Ｘ            遮水シート
Ｘ´          遮水シート
Ｘａ          遮水シート材
Ｘｂ          保護マット材
Ｙ            メインロープ
Ｙａ、Ｙｂ    ロープ
【図１】
0003228174.tif 000003
【図２】
0003228174.tif 000004
【図３】
0003228174.tif 000005
【図４】
0003228174.tif 000006